【手続補正書】
【提出日】平成16年9月8日(2004.9.8)
【手続補正１】
【補正対象書類名】明細書
【補正対象項目名】特許請求の範囲
【補正方法】変更
【補正の内容】
【特許請求の範囲】
【請求項１】
遊技媒体を用いて所定の遊技を行うことが可能であり、貸出要求にもとづいて遊技者に貸し出す貸出遊技媒体を払い出す遊技機であって、
前記貸出遊技媒体の払い出しを行う払出手段と、
前記払出手段により払い出された貸出遊技媒体を検出する貸出遊技媒体検出手段と、
遊技機への電力供給が停止しても所定期間は記憶内容を保持することが可能であり、前記貸出要求にもとづいて払い出すべき貸出遊技媒体数のうち未だ払い出されていない未払出数を特定可能な未払出数データを記憶する変動データ記憶手段と、
遊技機に設けられた電気部品を制御し、前記貸出遊技媒体検出手段からの検出信号の入力処理と、前記入力処理の結果を示すデータにもとづいて前記未払出数データを更新する処理とを行う電気部品制御手段と、
遊技機で用いられる所定の電源の状態を監視して、遊技機への電力の供給停止にかかわる検出条件が成立したときに検出信号を出力する電源監視手段と、
前記電源監視手段によって前記検出信号が出力された後少なくとも所定の検出維持期間が経過するまでの期間において前記貸出遊技媒体検出手段による貸出遊技媒体の検出を可能な状態とするために、当該貸出遊技媒体検出手段および前記電気部品制御手段に電力を供給可能な補助電力供給手段と、
操作に応じて操作信号を出力することが可能な操作手段と、を備え、
前記電気部品制御手段は、
前記電源監視手段からの検出信号に応じて制御状態を復旧させるために必要なデータを前記変動データ記憶手段に保存するための電力供給停止時処理を実行し、電力供給が復帰し所定の復旧条件が成立したときに前記変動データ記憶手段に保存されていた記憶内容にもとづいて制御状態を電力供給が停止する前の状態に復旧させる復旧処理を実行し、所定の復旧条件が不成立であったときには、前記変動データ記憶手段に保持されていた記憶内容を初期化する初期化処理を実行し、
前記電力供給停止時処理にて、前記補助電力供給手段から電力が供給される前記貸出遊技媒体検出手段からの検出信号の入力処理を行い、当該電力供給停止時処理が終了した後待機状態に移行し、
遊技機への電力供給が復帰し、少なくとも前記操作手段から操作信号が出力されなかったときに前記所定の復旧条件が成立したと判定し、
前記電源監視手段による前記検出信号が出力されたにもかかわらず、遊技機への電力供給が停止しないときに、前記電気部品制御手段の制御状態を前記待機状態から復帰させ前記復旧処理を実行する待機状態復帰手段を有し、
前記電力供給停止時処理にて前記貸出遊技媒体検出手段からの検出信号の入力処理の結果を示すデータを前記変動データ記憶手段に保存し、前記復旧処理にて前記入力処理の結果を示すデータにもとづいて前記未払出数データを更新する処理を実行する
ことを特徴とする遊技機。
【請求項２】
所定の復旧条件は複数あり、電気部品制御手段は、電力供給が復帰したときには、前記複数の復旧条件がすべて成立したときに、変動データ記憶手段に保存されていた記憶内容にもとづいて制御状態を復旧させる復旧処理を実行し、前記複数の復旧条件のうち少なくとも１つの条件が不成立であったときに前記変動データ記憶手段の記憶内容を初期化する初期化処理を実行する
請求項１記載の遊技機。
【請求項３】
電気部品制御手段は、複数の復旧条件が成立しているか否かを確認する際に、操作手段から操作信号が出力されているか否かの確認を優先的に実行し、操作手段から操作信号が出力されていることを確認したときには、他の復旧条件が成立しているか否かの確認を行うことなく初期化処理を実行する
請求項２記載の遊技機。
【請求項４】
電気部品制御手段からの信号を出力するための出力ポートを含み、
前記電気部品制御手段は、電力供給停止時処理にて、前記出力ポートの出力状態を初期化する出力ポートクリア処理を実行した後、貸出遊技媒体検出手段からの検出信号の入力処理を行う
請求項１から請求項３のうちいずれかに記載の遊技機。
【請求項５】
検出維持期間は、払出手段により払い出された貸出遊技媒体が貸出遊技媒体検出手段の検出位置に到達するまでの期間以上の期間に設定される
請求項１から請求項４のうちいずれかに記載の遊技機。
【請求項６】
電気部品制御手段の動作状態を監視し、所定期間動作が停止しているときに、制御状態を初期化するための動作状態監視手段を備え、
前記動作状態監視手段により、待機状態復帰手段が構成される
請求項１から請求項５のうちいずれかに記載の遊技機。
【請求項７】
待機状態復帰手段は、電源監視手段から検出信号が出力されてから、所定期間経過しても遊技機への電力供給が停止しないときに電気部品制御手段の制御状態を待機状態から復帰させる
請求項１から請求項５のうちいずれかに記載の遊技機。
【請求項８】
電気部品制御手段が搭載された電気部品制御基板を複数備え、
前記電気部品制御基板とは別個に遊技機へ供給される電源から各電気部品制御基板で用いられる電圧の電源を作成する電源基板を備え、
待機状態復帰手段は前記電源基板に搭載される
請求項１から請求項７のうちいずれかに記載の遊技機。
【請求項９】
遊技機は、遊技者からの遊技媒体の貸出要求を受け付け記録媒体に記録されている記録情報にもとづいて貸出要求信号を送出する記録媒体処理装置と接続可能に構成され、
電気部品制御手段は、前記記録媒体処理装置からの貸出要求信号にもとづいて払出手段の制御を行う払出制御手段を含み、
貸出遊技媒体検出手段の検出信号は、前記払出制御手段に入力される
請求項１から請求項８のうちいずれかに記載の遊技機。
【請求項１０】
電気部品制御手段が搭載された電気部品制御基板を複数備え、
操作手段は前記電気部品制御基板とは別の箇所に設けられている
請求項１から請求項９のうちいずれかに記載の遊技機。
【請求項１１】
別の箇所とは遊技機へ供給される電源から各電気部品制御基板で用いられる電圧の電源を作成する電源基板であり、
前記電源基板には操作手段と、遊技機への電源の供給または遮断を選択するための電力供給操作手段とが搭載される
請求項１０記載の遊技機。
【請求項１２】
電気部品制御手段として、所定の報知を行うための報知部品を制御可能な報知部品制御手段を備え、
前記報知部品制御手段は、変動データ記憶手段に保持されていた記憶内容を初期化する処理が実行されていることを前記報知部品を用いて報知する処理を行う
請求項１から請求項１１のうちいずれかに記載の遊技機。
【請求項１３】
電源監視手段は貸出遊技媒体検出手段に供給される電源の電圧値よりも高い電圧値の電源を監視する
請求項１から請求項１２のうちいずれかに記載の遊技機。
【請求項１４】
払出手段は、遊技領域に設けられた入賞領域に遊技媒体が入賞したことにもとづいて景品としての景品遊技媒体の払い出しを実行可能であり、
前記払出手段によって払い出された遊技媒体を誘導するための遊技媒体通路として前記景品遊技媒体を検出するための景品遊技媒体検出手段が設けられた景品遊技媒体通路と貸出遊技媒体検出手段が設けられた貸出遊技媒体通路とを含み、
前記遊技媒体通路を前記景品遊技媒体通路と前記貸出遊技媒体通路とのうちいずれか一方に切り換える通路切換手段と、
前記通路切換手段を駆動する電気的駆動源と、
少なくとも検出維持期間が経過するまでの間は前記通路切換手段の状態を保持可能な作動状態保持手段と、を備えた
請求項１から請求項１３のうちいずれかに記載の遊技機。
【手続補正２】
【補正対象書類名】明細書
【補正対象項目名】００１５
【補正方法】変更
【補正の内容】
【００１５】
【課題を解決するための手段】
本発明による遊技機は、遊技媒体を用いて所定の遊技を行うことが可能であり、貸出要求（例えば、カードユニット５０からの球貸し要求）にもとづいて遊技者に貸し出す貸出遊技媒体を払い出す遊技機であって、貸出遊技媒体の払い出しを行う払出手段（例えば球払出装置９７）と、払出手段により払い出された貸出遊技媒体を検出する貸出遊技媒体検出手段（例えば球貸しカウントスイッチ３０１Ｂ）と、遊技機への電力供給が停止しても所定期間は記憶内容を保持することが可能であり、貸出要求にもとづいて払い出すべき貸出遊技媒体数のうち未だ払い出されていない未払出数を特定可能な未払出数データ（例えば貸し球数格納バッファの格納値、貸し球未払出個数カウンタ）を記憶する変動データ記憶手段（例えば主基板３１が備える電源バックアップされたＲＡＭ５５や払出制御基板３７が備える電源バックアップされたＲＡＭ）と、遊技機に設けられた電気部品を制御し、貸出遊技媒体検出手段からの検出信号の入力処理と、入力処理の結果を示すデータにもとづいて未払出数データを更新する処理とを行う電気部品制御手段（例えば、ＣＰＵ５６を含む遊技制御手段、払出制御用ＣＰＵ３７１を含む払出制御手段）と、遊技機で用いられる所定の電源の状態を監視して、遊技機への電力の供給停止にかかわる検出条件（例えば監視電圧であるＶSL（＋３０Ｖ）の電圧値が＋２２Ｖまで低下したときに成立する条件）が成立したときに検出信号（例えば電源断信号）を出力する電源監視手段（例えば電源監視用ＩＣ９０２）と、電源監視手段によって検出信号が出力された後少なくとも所定の検出維持期間（例えば、電力供給停止時処理にて球貸しカウントスイッチ３０１Ｂの検出信号の入力処理が実行される場合におけるステップＳ４６６で設定される期間、ステップＳ８１６で設定される期間）が経過するまでの期間において貸出遊技媒体検出手段による貸出遊技媒体の検出を可能な状態とするために、当該貸出遊技媒体検出手段および電気部品制御手段に電力を供給可能な補助電力供給手段（例えばコンデンサ９２３を備えるコンバータＩＣ９２０）と、操作に応じて操作信号（例えばクリアスイッチ信号）を出力することが可能な操作手段（例えばクリアスイッチ９２１）と、を備え、電気部品制御手段が、電源監視手段からの検出信号に応じて制御状態を復旧させるために必要なデータ（例えばＣＰＵ５６や払出制御用ＣＰＵ３７１に用いられるレジスタのデータ等）を変動データ記憶手段に保存するための電力供給停止時処理（例えば図２２〜図２４に示す処理（球貸しカウントスイッチ３０１Ｂの検出信号の入力処理を含む場合）や図４９〜図５１に示す処理）を実行し、電力供給が復帰し所定の復旧条件（例えばステップＳ７の条件やステップＳ７０７の条件）が成立したときに変動データ記憶手段に保存されていた記憶内容にもとづいて制御状態を電力供給が停止する前の状態に復旧させる復旧処理（例えば図２０に示す遊技状態復旧処理や図４８に示す払出状態復旧処理）を実行し、所定の復旧条件が不成立であったときには、変動データ記憶手段に保持されていた記憶内容を初期化する初期化処理（例えばステップＳ１１〜ステップＳ１５の処理、ステップＳ７１１〜ステップＳ７１４の処理）���実行し、電力供給停止時処理にて、補助電力供給手段から電力が供給される貸出遊技媒体検出手段からの検出信号の入力処理（例えば、図２３におけるステップＳ４６６〜ステップＳ４８６の処理と同様にして実行される球貸しカウントスイッチ３０１Ｂの検出信号の入力処理、図５０におけるステップＳ８２７〜ステップＳ８３４の処理）を行い、当該電力供給停止時処理が終了した後待機状態（例えばステップＳ４９８やステップＳ８４６のあとのループ処理が実行されている状態）に移行し、遊技機への電力供給が復帰し、少なくとも操作手段から操作信号が出力されなかったとき（例えばステップＳ７のＮと判定された場合、ステップＳ７０７のＮと判定された場合）に所定の復旧条件が成立したと判定し、電源監視手段による検出信号が出力されたにもかかわらず、遊技機への電力供給が停止しないときに、電気部品制御手段の制御状態を待機状態から復帰させ復旧処理を実行する待機状態復帰手段（例えば、復帰信号を出力可能な電源基板９１０に搭載されるカウンタ９７１、ウォッチドッグタイマのタイプアップにもとづきシステムリセットする機能を備えるＣＰＵ５６や払出制御用ＣＰＵ３７１）を有し、電力供給停止時処理にて貸出遊技媒体検出手段からの検出信号の入力処理の結果を示すデータを変動データ記憶手段に保存（例えばステップＳ８７３）し、復旧処理にて入力処理の結果を示すデータにもとづいて未払出数データを更新する処理（例えばステップＳ８９０）を実行することを特徴とする。
【手続補正３】
【補正対象書類名】明細書
【補正対象項目名】００１６
【補正方法】変更
【補正の内容】
【００１６】
所定の復旧条件は複数あり、電気部品制御手段が、電力供給が復帰したときには、複数の復旧条件（例えば、遊技制御手段におけるステップＳ７〜ステップＳ９の条件、払出制御手段におけるステップＳ７０７〜ステップＳ７０９の条件）がすべて成立したときに、変動データ記憶手段に保存されていた記憶内容にもとづいて制御状態を復旧させる復旧処理を実行し、複数の復旧条件のうち少なくとも１つの条件が不成立であったときに変動データ記憶手段の記憶内容を初期化する初期化処理（例えばステップＳ１１〜ステップＳ１５の処理、ステップＳ７１１〜ステップＳ７１４の処理）を実行するように構成されていてもよい。
【手続補正４】
【補正対象書類名】明細書
【補正対象項目名】００１７
【補正方法】変更
【補正の内容】
【００１７】
電気部品制御手段が、複数の復旧条件が成立しているか否かを確認する際に、操作手段から操作信号が出力されているか否かの確認を優先的に実行（例えば、遊技制御手段においてステップＳ８，ステップＳ９の条件よりもステップＳ７の条件についての確認を先に行う、払出制御手段においてステップＳ７０８，ステップＳ７０９の条件よりもステップＳ７０７の条件についての確認を先に行う）し、操作手段から操作信号が出力されていることを確認したときには、他の復旧条件が成立しているか否かの確認を行うことなく初期化処理を実行するように構成されていてもよい。
【手続補正５】
【補正対象書類名】明細書
【補正対象項目名】００１８
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】変更
【補正の内容】
【００２３】
電気部品制御手段の動作状態を監視し、所定期間動作が停止しているときに、制御状態を初期化するための動作状態監視手段（例えば、ウォッチドッグタイマのタイプアップにもとづきシステムリセットする機能を備えるＣＰＵ５６や払出制御用ＣＰＵ３７１）を備え、動作状態監視手段により、待機状態復帰手段が構成されていてもよい。
【手続補正９】
【補正対象書類名】明細書
【補正対象項目名】００２４
【補正方法】変更
【補正の内容】
【００２４】
待機状態復帰手段が、電源監視手段から検出信号が出力されてから、所定期間経過しても遊技機への電力供給が停止しないときに電気部品制御手段の制御状態を待機状態から復帰させる（例えば図１４（Ｂ）参照）ように構成されていてもよい。
【手続補正１０】
【補正対象書類名】明細書
【補正対象項目名】００２９
【補正方法】変更
【補正の内容】
【００２９】
電気部品制御手段として、所定の報知を行うための報知部品（例えば可変表示装置９）を制御可能な報知部品制御手段（例えば表示制御用ＣＰＵ１０１を含む表示制御手段）を備え、報知部品制御手段が変動データ記憶手段に保持されていた記憶内容を初期化する処理が実行されていることを報知部品を用いて報知する処理（例えば「初期化中」などの表示による報知）を行うように構成されていてもよい。
【手続補正１１】
【補正対象書類名】明細書
【補正対象項目名】００３１
【補正方法】変更
【補正の内容】
【００３１】
払出手段は、遊技領域に設けられた入賞領域に遊技媒体が入賞したこと（例えば遊技領域に設けられた入賞領域への入賞）にもとづいて景品としての景品遊技媒体の払い出しを実行可能であり、払出手段によって払い出された遊技媒体を誘導するための遊技媒体通路（例えば球通路２９３ａ，２９３ｂ）として景品遊技媒体を検出するための景品遊技媒体検出手段（例えば賞球カウントスイッチ３０１Ａ）が設けられた景品遊技媒体通路（例えば球通路２９３ａ）と貸出遊技媒体検出手段が設けられた貸出遊技媒体通路（例えば球通路２９３ｂ）とを含み、遊技媒体通路を景品遊技媒体通路と貸出遊技媒体通路とのうちいずれか一方に切り換える通路切換手段（例えば、振分部材３１１）と、通路切換手段を駆動する電気的駆動源（例えば振分部材３１１の状態を制御するソレノイド３１０あるいはモータ）と、少なくとも検出維持期間が経過するまでの間は通路切換手段の状態を保持可能な作動状態保持手段（例えば、コンデンサ９２４の充電電力にもとづいて電力供給を継続する電源基板９１０、通路切換手段の状態を機械的構造によって保持可能な構成とした振分部材３１１およびモータ）とを備えた構成とされていてもよい。
【手続補正１２】
【補正対象書類名】明細書
【補正対象項目名】０６７１
【補正方法】変更
【補正の内容】
【０６７１】
【発明の効果】
以上のように、請求項１記載の発明によれば、電気部品制御手段は、電源監視手段からの検出信号に応じて制御状態を復旧させるために必要なデータを変動データ記憶手段に保存するための電力供給停止時処理を実行し、電力供給が復帰し所定の復旧条件が成立したときに変動データ記憶手段に保存されていた記憶内容にもとづいて制御状態を電力供給が停止する前の状態に復旧させる復旧処理を実行し、所定の復旧条件が不成立であったときには、変動データ記憶手段に保持されていた記憶内容を初期化する初期化処理を実行し、電力供給停止時処理にて、補助電力供給手段から電力が供給される貸出遊技媒体検出手段からの検出信号の入力処理を行い、当該電力供給停止時処理が終了した後待機状態に移行し、遊技機への電力供給が復帰し、少なくとも操作手段から操作信号が出力されなかったときに所定の復旧条件が成立したと判定し、電源監視手段による検出信号が出力されたにもかかわらず、遊技機への電力供給が停止しないときに、電気部品制御手段の制御状態を待機状態から復帰させ復旧処理を実行する待機状態復帰手段を有し、電力供給停止時処理にて貸出遊技媒体検出手段からの検出信号の入力処理の結果を示すデータを変動データ記憶手段に保存し、復旧処理にて入力処理の結果を示すデータにもとづいて未払出数データを更新する処理を実行することを特徴とするので、電力供給停止時処理にて、払い出された貸出遊技媒体を確実に検出することが可能となる。また、復旧処理を行う必要がない場合には復旧処理が実行されないようにすることができ、遊技機運用上の利便性を向上させることが可能となるという効果を得ることができるとともに、待機状態復帰手段によって電気部品制御手段を制御実行状態に復帰させることが可能になり、その結果、ごく短時間で復旧する電源の瞬断等が生じても制御に支障を来すことがないという効果を得ることができる。さらに、電力供給停止時処理での入力処理を迅速に行うことができる。
【手続補正１３】
【補正対象書類名】明細書
【補正対象項目名】０６７２
【補正方法】変更
【補正の内容】
【０６７２】
請求項２記載の発明では、所定の復旧条件は複数あり、電気部品制御手段が、電力供給が復帰したときには、複数の復旧条件がすべて成立したときに、変動データ記憶手段に保存されていた記憶内容にもとづいて制御状態を復旧させる復旧処理を実行し、複数の復旧条件のうち少なくとも１つの条件が不成立であったときに変動データ記憶手段の記憶内容を初期化する初期化処理を実行するように構成されているので、不確実な状態から制御状態が復旧してしまうことを防止することができる。
【手続補正１４】
【補正対象書類名】明細書
【補正対象項目名】０６７３
【補正方法】変更
【補正の内容】
【０６７３】
請求項３記載の発明では、電気部品制御手段が、複数の復旧条件が成立しているか否かを確認する際に、操作手段から操作信号が出力されているか否かの確認を優先的に実行し、操作手段から操作信号が出力されていることを確認したときには、他の復旧条件が成立しているか否かの確認を行うことなく初期化処理を実行するように構成されているので、無駄な確認処理を行うことがなく、早期に初期化処理を実行することが可能となる。
【手続補正１５】
【補正対象書類名】明細書
【補正対象項目名】０６７４
【補正方法】削除
【補正の内容】
【手続補正１６】
【補正対象書類名】明細書
【補正対象項目名】０６７５
【補正方法】変更
【補正の内容】
【０６７５】
請求項４記載の発明では、電気部品制御手段が、電力供給停止時処理にて、出力ポートの出力状態を初期化する出力ポートクリア処理を実行した後、貸出遊技媒体検出手段からの検出信号の入力処理を行う構成とされているので、貸出遊技媒体検出手段からの検出信号の入力処理に関連しない電気部品により電力が消費されてしまうことを回避することができる。
【手続補正１７】
【補正対象書類名】明細書
【補正対象項目名】０６７６
【補正方法】削除
【補正の内容】
【手続補正１８】
【補正対象書類名】明細書
【補正対象項目名】０６７７
【補正方法】変更
【補正の内容】
【０６７７】
請求項５記載の発明では、検出維持期間は、払出手段により払い出された貸出遊技媒体が貸出遊技媒体検出手段の検出位置に到達するまでの期間以上の期間に設定されるように構成されているので、払い出された貸出遊技媒体を確実に検出することができる。
【手続補正１９】
【補正対象書類名】明細書
【補正対象項目名】０６７８
【補正方法】削除
【補正の内容】
【手続補正２０】
【補正対象書類名】明細書
【補正対象項目名】０６７９
【補正方法】変更
【補正の内容】
【０６７９】
請求項６記載の発明では、電気部品制御手段の動作状態を監視し、所定期間動作が停止しているときに、制御状態を初期化するための動作状態監視手段を備え、動作状態監視手段により、待機状態復帰手段が構成されているので、待機状態から確実に復帰することができる。
【手続補正２１】
【補正対象書類名】明細書
【補正対象項目名】０６８０
【補正方法】変更
【補正の内容】
【０６８０】
請求項７記載の発明では、待機状態復帰手段が、電源監視手段から検出信号が出力されてから、所定期間経過しても遊技機への電力供給が停止しないときに電気部品制御手段の制御状態を待機状態から復帰させるように構成されているので、待機状態から確実に復帰することができる。
【手続補正２２】
【補正対象書類名】明細書
【補正対象項目名】０６８１
【補正方法】変更
【補正の内容】
【０６８１】
請求項８記載の発明では、待機状態復帰手段が電源基板に搭載される構成とされているので、各制御基板毎に待機状態復帰手段を設ける必要がない。
【手続補正２３】
【補正対象書類名】明細書
【補正対象項目名】０６８２
【補正方法】変更
【補正の内容】
【０６８２】
請求項９記載の発明では、貸出遊技媒体検出手段の検出信号が、払出制御手段に入力されるように構成されているので、貸出遊技媒体の払い出し状況を貸出要求信号が入力される払出制御手段で管理することでより正確な貸出遊技媒体の管理が可能となる。
【手続補正２４】
【補正対象書類名】明細書
【補正対象項目名】０６８３
【補正方法】変更
【補正の内容】
【０６８３】
請求項１０記載の発明では、電気部品制御手段が搭載された電気部品制御基板を複数備え、操作手段は電気部品制御基板とは別の箇所に設けられている構成とされているので、遊技店員等が操作しやすい任意の位置に操作手段を設置することができる。
【手続補正２５】
【補正対象書類名】明細書
【補正対象項目名】０６８４
【補正方法】変更
【補正の内容】
【０６８４】
請求項１１記載の発明では、別の箇所とは遊技機へ供給される電源から各電気部品制御基板で用いられる電圧の電源を作成する電源基板であり、電源基板には操作手段と、遊技機への電源の供給または遮断を選択するための電力供給操作手段とが搭載される構成とされているので、操作手段と電力供給操作手段を近くに配することができるようになり、操作手段の操作がより容易となる。
【手続補正２６】
【補正対象書類名】明細書
【補正対象項目名】０６８５
【補正方法】変更
【補正の内容】
【０６８５】
請求項１２記載の発明では、報知部品制御手段が変動データ記憶手段に保持されていた記憶内容を初期化する処理が実行されていることを報知部品を用いて報知する処理を行うように構成されているので、電気部品制御手段に変動データ記憶手段の記憶内容を初期化する処理を実行させる不正行為が行われても、そのような不正行為を容易に発見することができる。
【手続補正２７】
【補正対象書類名】明細書
【補正対象項目名】０６８６
【補正方法】変更
【補正の内容】
【０６８６】
請求項１３記載の発明では、電源監視手段が貸出遊技媒体検出手段に供給される電源の電圧値よりも高い電圧値の電源を監視するように構成されているので、電源監視手段による検出信号の出力前に貸出遊技媒体検出手段の機能が停止してしまうことを防止することができる。
【手続補正２８】
【補正対象書類名】明細書
【補正対象項目名】０６８７
【補正方法】変更
【補正の内容】
【０６８７】
請求項１４記載の発明では、遊技媒体通路を景品遊技媒体通路と貸出遊技媒体通路とのうちいずれか一方に切り換える通路切換手段と、通路切換手段を駆動する電気的駆動源と、少なくとも検出維持期間が経過するまでの間は通路切換手段の状態を保持可能な作動状態保持手段と、を備えたので、電力供給停止時処理にて、払い出された貸出遊技媒体を貸出遊技媒体検出手段にて確実に検出することができる。